【手続補正書】
【提出日】平成27年7月1日(2015.7.1)
【手続補正１】
【補正対象書類名】明細書
【補正対象項目名】００９４
【補正方法】変更
【補正の内容】
【００９４】
本発明の範囲及び趣旨から外れることなく、本開示の予測可能な修正及び変更が当業者には自明であろう。本発明は、説明を目的として本出願に記載される各実施形態に限定されるべきものではない。本発明の実施態様の一部を以下の項目［１］−［１２］に記載する。
[１]
ポリマーストランドのアレイを備える網製品であって、前記ポリマーストランドが、前記アレイの全体を通して接着領域で周期的に一緒に結合し、少なくとも複数の前記ポリマーストランドが、第１のポリマー材料の芯と、第２の異なるポリマー材料の鞘とを有し、ここで、（ａ）前記ストランドが実質的に互いに交差しないこと、又は（ｂ）前記網製品が最大で７５０マイクロメートルの厚さを有すること、の少なくとも１つである、網製品。
[２]
５ｇ／ｍ２〜４００ｇ／ｍ２の範囲内の坪量を有する、項目１に記載の網製品。
[３]
０．５ｇ／ｍ２〜４０ｇ／ｍ２の範囲内の坪量を有する、項目１又は２のいずれか一項に記載の網製品。
[４]
項目１〜３のいずれか一項に記載の網製品を製造する方法であって、
互いに隣接して配置された複数のシムであって少なくとも第１の空洞と第２の空洞とを一緒に画定するシムと、供給表面とを備える押出成形ダイを提供することであって、前記供給表面が、前室のアレイによって画定される供給オリフィスのアレイを有し、前記複数のシムが、複数のシムの反復配列を備え、前記反復配列が、前記第１の空洞と前記前室の１つとの間に流体通路を提供するシムと、前記第２の空洞から前記同じ前室まで延在する第２の通路を提供するシムと、前記第２の空洞から前記同じ前室まで延在する第３の通路を提供するシムを備え、前記第２及び第３の通路のそれぞれは、前記第１の通路の反対側にあり、前記第２及び第３の通路のそれぞれは、前記第１の通路が前記前室に入る箇所で、前記第１の通路よりも大きな寸法を有する、押出成形ダイを提供することと、
第１のストランド速度が、第２のストランド速度の少なくとも２倍であり、第１のポリマーストランドを前記第１のストランド速度で前記第１の供給オリフィスから分配し、一方これと同時に第２のポリマーストランドを前記第２のストランド速度で前記第２の供給オリフィスから分配して、前記網製品を提供することと、を含む、方法。
[５]
項目１〜３のいずれか一項に記載の網製品を製造する方法であって、
互いに隣接して配置された複数のシムであって少なくとも第１の空洞と第２の空洞とを一緒に画定するシムと、供給表面とを備える押出成形ダイを提供することであって、前記供給表面が、前室のアレイによって画定される第１の供給オリフィスの第１のアレイと、第２の供給オリフィスの第２のアレイとを有し、前記複数のシムが、複数のシムの反復配列を備え、前記反復配列が、前記第１の空洞と前記前室の１つとの間に流体通路を提供するシムと、前記第２の空洞から前記同じ前室まで延在する第２の通路を提供するシムと、前記第２の空洞から前記同じ前室まで延在する第３の通路を提供するシムを備え、前記第２及び第３の通路のそれぞれは、前記第１の通路の反対側にあり、前記第２及び第３の通路のそれぞれは、前記第１の通路が前記前室に入る箇所で、前記第１の通路よりも大きな寸法を有し、前記反復配列が、空洞から前記第２の供給オリフィスの１つに至る通路を提供するシムを更に備える、押出成形ダイを提供することと、
第１のストランド速度が、第２のストランド速度の少なくとも２倍であり、第１のポリマーストランドを前記第１のストランド速度で前記アレイの第１の供給オリフィスから分配し、一方これと同時に第２のポリマーストランドを前記第２のストランド速度で前記アレイの第２の供給オリフィスから分配して、前記網製品を提供することと、を含む、方法。
[６]
少なくとも第１及び第２の空洞と、前記第１の空洞から供給オリフィスを画定する前室まで延在する第１の通路と、それぞれが前記第１の通路と反対側にあり、かつそれぞれが前記第１の通路が前記前室に入る箇所で前記第１の通路よりも大きな寸法を有する、前記第２の空洞から前記前室に延在する第２及び第３の通路とを有する、押出成形ダイ。
[７]
第１のポリマー材料の芯と、第２の異なるポリマー材料の鞘とを有するポリマーストランドを製造する方法であって、前記ポリマーストランドを項目６に記載の押出成形ダイの前記供給オリフィスから分配することを含む、方法。
[８]
互いに隣接して配置された複数のシムであり、少なくとも第１及び第２の空洞を一緒に画定するシムと、供給表面とを備える押出成形ダイであって、前記供給表面が、前室のアレイによって画定される供給オリフィスのアレイを有し、前記複数のシムが、複数のシムの反復配列を備え、前記反復配列が、前記第１の空洞と前記前室の１つとの間に流体通路を提供するシムと、前記第２の空洞から前記同じ前室まで延在する第２の通路を提供するシムと、前記第２の空洞から前記同じ前室まで延在する第３の通路を提供するシムを備え、前記第２及び第３の通路のそれぞれは、前記第１の通路の反対側にあり、前記第２及び第３の通路のそれぞれは、前記第１の通路が前記前室に入る箇所で、前記第１の通路よりも大きな寸法を有する、押出成形ダイ。
[９]
第１のポリマー材料の芯と、第２の異なるポリマー材料の鞘とを有するポリマーストランドを製造する方法であって、項目８に記載の押出成形ダイを使用して、前記供給オリフィスのアレイから前記ポリマーストランドを分配することを含む、方法。
[１０]
互いに隣接して配置された複数のシムであり、少なくとも第１の空洞と第２の空洞とを一緒に画定するシムと、供給表面とを備える押出成形ダイであって、前記供給表面が、前室のアレイによって画定される第１の供給オリフィスの第１のアレイと、第２の供給オリフィスの第２のアレイとを有し、前記複数のシムが、複数のシムの反復配列を備え、前記反復配列が、前記第１の空洞と前記前室の１つとの間に流体通路を提供するシムと、前記第２の空洞から前記同じ前室まで延在する第２の通路を提供するシムと、前記第２の空洞から前記同じ前室まで延在する第３の通路を提供するシムを備え、前記第２及び第３の通路のそれぞれは、前記第１の通路の反対側にあり、前記第２及び第３の通路のそれぞれは、前記第１の通路が前記前室に入る箇所で、前記第１の通路よりも大きな寸法を有し、前記反復配列が、空洞から前記第２の供給オリフィスの１つに至る通路を提供するシムを更に備える、押出成形ダイ。
[１１]
第１のポリマー材料の芯と、第２の異なるポリマー材料の鞘とを有するポリマーストランドを製造する方法であって、項目１０に記載の押出成形ダイを使用して、前記供給オリフィスのアレイから前記ポリマーストランドを分配することを含む、方法。
[１２]
互いに隣接して配置された複数のシムであり、少なくとも第１及び第２の空洞を一緒に画定するシムと、供給表面とを備える押出成形ダイであって、前記供給表面が、少なくとも１つのネット成形ゾーンと少なくとも１つのリボン成形ゾーンとを有し、前記ネット成形ゾーン内の前記供給表面が、前室のアレイによって画定される第１の供給オリフィスの第１のアレイと、第２の供給オリフィスの第２アレイとを有するゾーンを有し、前記複数のシムが、複数のシムの反復配列を備え、前記反復配列が、前記第１の空洞と前記前室の１つとの間に流体通路を提供するシムと、前記第２の空洞から前記同じ前室まで延在する第２の通路を提供するシムと、前記第２の空洞から前記同じ前室まで延在する第３の通路を提供するシムを備え、前記第２及び第３の通路のそれぞれは、前記第１の通路の反対側にあり、前記第２及び第３の通路のそれぞれは、前記第１の通路が前記前室に入る箇所で、前記第１の通路よりも大きな寸法を有し、前記反復配列が、空洞から前記第２の供給オリフィスのアレイに至る通路を提供するシムを更に備える、押出成形ダイ。
【手続補正２】
【補正対象書類名】特許請求の範囲
【補正対象項目名】全文
【補正方法】変更
【補正の内容】
【特許請求の範囲】
【請求項１】
ポリマーストランドのアレイを備える網製品であって、前記ポリマーストランドが、前記アレイの全体を通して接着領域で周期的に一緒に結合し、少なくとも複数の前記ポリマーストランドが、第１のポリマー材料の芯と、第２の異なるポリマー材料の鞘とを有し、ここで、（ａ）前記接着領域で一緒に結合した前記ストランドが実質的に互いに交差しないこと、又は（ｂ）前記網製品が最大で７５０マイクロメートルの厚さを有すること、の少なくとも１つである、網製品。
【請求項２】
請求項１に記載の網製品を製造する方法であって、
互いに隣接して配置された複数のシムであって少なくとも第１の空洞と第２の空洞とを一緒に画定するシムと、供給表面とを備える押出成形ダイを提供することであって、前記供給表面が、前室のアレイによって画定される供給オリフィスのアレイを有し、前記複数のシムが、複数のシムの反復配列を備え、前記反復配列が、前記第１の空洞と前記前室の１つとの間に流体通路を提供するシムと、前記第２の空洞から前記同じ前室まで延在する第２の通路を提供するシムと、前記第２の空洞から前記同じ前室まで延在する第３の通路を提供するシムを備え、前記第２及び第３の通路のそれぞれは、前記第１の通路の反対側にあり、前記第２及び第３の通路のそれぞれは、前記第１の通路が前記前室に入る箇所で、前記第１の通路よりも大きな寸法を有する、押出成形ダイを提供することと、
第１のストランド速度が、第２のストランド速度の少なくとも２倍であり、第１のポリマーストランドを前記第１のストランド速度で前記第１の供給オリフィスから分配し、一方これと同時に第２のポリマーストランドを前記第２のストランド速度で前記第２の供給オリフィスから分配して、前記網製品を提供することと、を含む、方法。
【請求項３】
請求項１に記載の網製品を製造する方法であって、
互いに隣接して配置された複数のシムであって少なくとも第１の空洞と第２の空洞とを一緒に画定するシムと、供給表面とを備える押出成形ダイを提供することであって、前記供給表面が、前室のアレイによって画定される第１の供給オリフィスの第１のアレイと、第２の供給オリフィスの第２のアレイとを有し、前記複数のシムが、複数のシムの反復配列を備え、前記反復配列が、前記第１の空洞と前記前室の１つとの間に流体通路を提供するシムと、前記第２の空洞から前記同じ前室まで延在する第２の通路を提供するシムと、前記第２の空洞から前記同じ前室まで延在する第３の通路を提供するシムを備え、前記第２及び第３の通路のそれぞれは、前記第１の通路の反対側にあり、前記第２及び第３の通路のそれぞれは、前記第１の通路が前記前室に入る箇所で、前記第１の通路よりも大きな寸法を有し、前記反復配列が、空洞から前記第２の供給オリフィスの１つに至る通路を提供するシムを更に備える、押出成形ダイを提供することと、
第１のストランド速度が、第２のストランド速度の少なくとも２倍であり、第１のポリマーストランドを前記第１のストランド速度で前記アレイの第１の供給オリフィスから分配し、一方これと同時に第２のポリマーストランドを前記第２のストランド速度で前記アレイの第２の供給オリフィスから分配して、前記網製品を提供することと、を含む、方法。
【請求項４】
少なくとも第１及び第２の空洞と、前記第１の空洞から供給オリフィスを画定する前室まで延在する第１の通路と、それぞれが前記第１の通路と反対側にあり、かつそれぞれが前記第１の通路が前記前室に入る箇所で前記第１の通路よりも大きな寸法を有する、前記第２の空洞から前記前室に延在する第２及び第３の通路とを有する、押出成形ダイ。
【請求項５】
互いに隣接して配置された複数のシムであり、少なくとも第１及び第２の空洞を一緒に画定するシムと、供給表面とを備える押出成形ダイであって、前記供給表面が、前室のアレイによって画定される供給オリフィスのアレイを有し、前記複数のシムが、複数のシムの反復配列を備え、前記反復配列が、前記第１の空洞と前記前室の１つとの間に流体通路を提供するシムと、前記第２の空洞から前記同じ前室まで延在する第２の通路を提供するシムと、前記第２の空洞から前記同じ前室まで延在する第３の通路を提供するシムを備え、前記第２及び第３の通路のそれぞれは、前記第１の通路の反対側にあり、前記第２及び第３の通路のそれぞれは、前記第１の通路が前記前室に入る箇所で、前記第１の通路よりも大きな寸法を有する、押出成形ダイ。
【請求項６】
互いに隣接して配置された複数のシムであり、少なくとも第１の空洞と第２の空洞とを一緒に画定するシムと、供給表面とを備える押出成形ダイであって、前記供給表面が、前室のアレイによって画定される第１の供給オリフィスの第１のアレイと、第２の供給オリフィスの第２のアレイとを有し、前記複数のシムが、複数のシムの反復配列を備え、前記反復配列が、前記第１の空洞と前記前室の１つとの間に流体通路を提供するシムと、前記第２の空洞から前記同じ前室まで延在する第２の通路を提供するシムと、前記第２の空洞から前記同じ前室まで延在する第３の通路を提供するシムを備え、前記第２及び第３の通路のそれぞれは、前記第１の通路の反対側にあり、前記第２及び第３の通路のそれぞれは、前記第１の通路が前記前室に入る箇所で、前記第１の通路よりも大きな寸法を有し、前記反復配列が、空洞から前記第２の供給オリフィスの１つに至る通路を提供するシムを更に備える、押出成形ダイ。
【請求項７】
互いに隣接して配置された複数のシムであり、少なくとも第１及び第２の空洞を一緒に画定するシムと、供給表面とを備える押出成形ダイであって、前記供給表面が、少なくとも１つのネット成形ゾーンと少なくとも１つのリボン成形ゾーンとを有し、前記ネット成形ゾーン内の前記供給表面が、前室のアレイによって画定される第１の供給オリフィスの第１のアレイと、第２の供給オリフィスの第２アレイとを有するゾーンを有し、前記複数のシムが、複数のシムの反復配列を備え、前記反復配列が、前記第１の空洞と前記前室の１つとの間に流体通路を提供するシムと、前記第２の空洞から前記同じ前室まで延在する第２の通路を提供するシムと、前記第２の空洞から前記同じ前室まで延在する第３の通路を提供するシムを備え、前記第２及び第３の通路のそれぞれは、前記第１の通路の反対側にあり、前記第２及び第３の通路のそれぞれは、前記第１の通路が前記前室に入る箇所で、前記第１の通路よりも大きな寸法を有し、前記反復配列が、空洞から前記第２の供給オリフィスのアレイに至る通路を提供するシムを更に備える、押出成形ダイ。